(57)【要約】【課題】  アプリケーションの選択や終了等の操作の面倒を低減すること。【解決手段】  個々にめくり操作可能とされた複数の枚葉状の表示パネル１１５と、これら各表示パネル１１５の内、その時点において開かれている表示パネル１１５を検知するための選択ページ検知手段１２０と、各表示パネル１１５に対して複数のアプリケーションプログラムの内の１つのアプリケーションプログラムを割り当てるためのアプリケーションプログラム割り当て手段１０２と、を備え、前記選択ページ検知手段１２０にて検知されたその時点において開かれている表示パネル１１５に対して割り当てられているアプリケーションプログラムを実行し、当該実行したアプリケーションプログラムの表示内容を当該アプリケーションプログラムに割り当てられている表示パネル１１５に表示する。【選択図】  図２
2006195922.tif 000002
【特許請求の範囲】
【請求項１】
複数のアプリケーションプログラムを実行するためのプログラム実行部と、該プログラム実行部にて実施されるアプリケーションプログラムに基づく表示内容を表示するための表示パネルと、前記プログラム実行部並びに表示パネルに動作電力を供給するための電源部とを具備し、利用者が携行可能とされた携帯パネル装置であって、
前記表示パネルが、その一辺の少なくとも一部が前記携帯パネル装置本体に接続されることで、個々にめくり操作可能とされた複数の枚葉状の表示パネルにて構成され、
前記各表示パネルの内、その時点において開かれている表示パネルを検知するための選択ページ検知手段と、
各表示パネルに対して複数のアプリケーションプログラムの内の１つのアプリケーションプログラムを割り当てるためのアプリケーションプログラム割り当て手段と、
を備え、
前記プログラム実行部は、前記選択ページ検知手段にて検知されたその時点において開かれている表示パネルに対して前記アプリケーションプログラム割り当て手段にて割り当てられているアプリケーションプログラムを実行し、当該実行したアプリケーションプログラムの表示内容を当該アプリケーションプログラムに割り当てられている表示パネルに表示することを特徴とする携帯パネル装置。
【請求項２】
前記プログラム実行部は、前記選択ページ検知手段にて検知されたその時点において開かれている表示パネル以外の表示パネルに対して前記アプリケーションプログラム割り当て手段にて割り当てられているアプリケーションプログラムの処理並びに該アプリケーションプログラムによる当該表示パネルへの表示を実施しないことを特徴とする請求項１に記載の携帯パネル装置。
【請求項３】
前記アプリケーションプログラムの１つが、電子ブックを再生表示するための電子ブック用アプリケーションプログラムであって、
前記プログラム実行部は、前記アプリケーションプログラム割り当て手段にて電子ブック用アプリケーションプログラムに割り当てられている表示パネルが開かれたことを前記選択ページ検知手段にて検知したことによる電子ブック用アプリケーションプログラムの実行後において、利用者によるめくり操作によって当該表示パネルに連なる表示パネルが順次開かれたときには、該めくり操作によって開かれた表示パネルに割り当てられたアプリケーションプログラムの処理を実施せずに、電子ブック用アプリケーションプログラムの処理を継続して該開かれた表示パネルに電子ブックの内容を順次表示することを特徴とする請求項１または２に記載の携帯パネル装置。
【請求項４】
アプリケーションプログラムを提供するアプリケーションプログラム提供装置とのデータ通信を実施するためのデータ通信手段を備え、
前記プログラム実行部は、該プログラム実行部が実行するアプリケーションプログラムを、前記データ通信手段を介して取得するアプリケーションプログラム取得処理を実施することを特徴とする請求項１〜３のいずれかに記載の携帯パネル装置。
【請求項５】
前記表示パネル毎に、当該表示パネル上において入力操作を受付けるための入力操作手段を備えることを特徴とする請求項１〜４のいずれかに記載の携帯パネル装置。
【発明の詳細な説明】
【技術分野】
【０００１】
本発明は、利用者が携行可能とされ、複数のアプリケーションプログラムを実施可能な携帯パネル装置に関する。
【背景技術】
【０００２】
近年、携帯電話機やＰＤＡの多機能化に伴い、これら利用者が携行可能な携帯電話機やＰＤＡ等の携行可能な情報端末においては、多数の各機能に応じたアプリケーションを実行させるようになってきている。
【発明の開示】
【発明が解決しようとする課題】
【０００３】
しかしながら、これら従来の携帯電話機やＰＤＡにおいては、表示パネルを備えているが、単一の表示パネルか、若しくは表示パネルを補完するサブ表示パネルを有するのみであり、多数の各機能に応じたアプリケーションを実行する場合には、利用しないアプリケーションを終了して、利用するアプリケーションのみを起動させて、該アプリケーションの表示を表示パネルに表示させる必要があり、利用者にとってはこれらアプリケーション選択の操作が面倒であるとともに、これらの操作が感覚的に判り難く、操作に不慣れな高齢者等にとっては、利用しにくいものとなってしまうという問題があった。
【０００４】
本発明は、このような問題点に着目してなされたもので、複数のアプリケーションを実行する場合においても、アプリケーションの選択や終了等の操作の面倒を低減でき、且つこれらの操作を感覚的に判りやすく実施することのできる携帯パネル装置を提供することを目的とする。
【課題を解決するための手段】
【０００５】
上記課題を解決するために、本発明の請求項１に記載の携帯パネル装置は、
複数のアプリケーションプログラムを実行するためのプログラム実行部と、該プログラム実行部にて実施されるアプリケーションプログラムに基づく表示内容を表示するための表示パネルと、前記プログラム実行部並びに表示パネルに動作電力を供給するための電源部とを具備し、利用者が携行可能とされた携帯パネル装置であって、
前記表示パネルが、その一辺の少なくとも一部が前記携帯パネル装置本体に接続されることで、個々にめくり操作可能とされた複数の枚葉状の表示パネルにて構成され、
前記各表示パネルの内、その時点において開かれている表示パネルを検知するための選択ページ検知手段と、
各表示パネルに対して複数のアプリケーションプログラムの内の１つのアプリケーションプログラムを割り当てるためのアプリケーションプログラム割り当て手段と、
を備え、
前記プログラム実行部は、前記選択ページ検知手段にて検知されたその時点において開かれている表示パネルに対して前記アプリケーションプログラム割り当て手段にて割り当てられているアプリケーションプログラムを実行し、当該実行したアプリケーションプログラムの表示内容を当該アプリケーションプログラムに割り当てられている表示パネルに表示することを特徴としている。
この特徴によれば、利用者は、所望のアプリケーションプログラムに割り当てられた表示パネルをめくり操作により開くことで、該表示パネルに割り当てられたアプリケーションプログラムが自動的に実行されて、該アプリケーションプログラムの内容が当該表示パネルに表示されるようになるので、アプリケーションの選択や終了等の操作の面倒を著しく低減でき、且つこれらの操作を感覚的に判りやすく実施することができる。
【０００６】
本発明の請求項２に記載の携帯パネル装置は、請求項１に記載の携帯パネル装置であって、
前記プログラム実行部は、前記選択ページ検知手段にて検知されたその時点において開かれている表示パネル以外の表示パネルに対して前記アプリケーションプログラム割り当て手段にて割り当てられているアプリケーションプログラムの処理並びに該アプリケーションプログラムによる当該表示パネルへの表示を実施しないことを特徴としている。
この特徴によれば、開かれていない表示パネルに表示するための無駄な電力の消費を低減できるばかりか、これら開かれていない表示パネルに割り当てられたアプリケーションプログラムを実行するための無駄な処理負荷を低減することができる。
【０００７】
本発明の請求項３に記載の携帯パネル装置は、請求項１または２に記載の携帯パネル装置であって、
前記アプリケーションプログラムの１つが、電子ブックを再生表示するための電子ブック用アプリケーションプログラムであって、
前記プログラム実行部は、前記アプリケーションプログラム割り当て手段にて電子ブック用アプリケーションプログラムに割り当てられている表示パネルが開かれたことを前記選択ページ検知手段にて検知したことによる電子ブック用アプリケーションプログラムの実行後において、利用者によるめくり操作によって当該表示パネルに連なる表示パネルが順次開かれたときには、該めくり操作によって開かれた表示パネルに割り当てられたアプリケーションプログラムの処理を実施せずに、電子ブック用アプリケーションプログラムの処理を継続して該開かれた表示パネルに電子ブックの内容を順次表示することを特徴としている。
この特徴によれば、利用者は、通常の印刷された本と同様に表示パネルをめくり操作することで、順次電子ブックの内容が各表示パネルに表示されるようになるので、ページ送り操作等の機器の操作に不慣れな人でも、違和感なく電子ブックによる読書を楽しむことができる。
【０００８】
本発明の請求項４に記載の携帯パネル装置は、請求項１〜３のいずれかに記載の携帯パネル装置であって、
アプリケーションプログラムを提供するアプリケーションプログラム提供装置とのデータ通信を実施するためのデータ通信手段を備え、
前記プログラム実行部は、該プログラム実行部が実行するアプリケーションプログラムを、前記データ通信手段を介して取得するアプリケーションプログラム取得処理を実施することを特徴としている。
この特徴によれば、アプリケーションプログラム提供装置から逐次必要なアプリケーションプログラムを取得することができ、利用者の利便性を向上できる。
【０００９】
本発明の請求項５に記載の携帯パネル装置は、請求項１〜４のいずれかに記載の携帯パネル装置であって、
前記表示パネル毎に、当該表示パネル上において入力操作を受付けるための入力操作手段を備えることを特徴としている。
この特徴によれば、入力が必要な場合において、例えば、表示されている表示パネルを閉じて入力部を露出させて入力する等の面倒を回避でき、入力における操作性を著しく向上できる。
【発明を実施するための最良の形態】
【００１０】
本発明の実施例を以下に説明する。
【実施例】
【００１１】
本実施例の携帯パネル装置１００について以下に説明すると、本実施例の携帯パネル装置１００は、図２に示すように、その外観は、観音開き状に折り畳み開閉可能な手帳形状の端末とされており、その外表面は、通常の手帳と同様に合成皮革ケース２００にて覆われており、これら合成皮革ケース２００内部に、各種のデバイス等が実装された基板や、各種のユニット、並びにこれら各種のデバイスや基板の動作電力を供給するための本発明における電源部となるリチウムイオン電池が内装または装着されている。
【００１２】
そして、図２に示すように、その合成皮革ケース２００の表面には、当該携帯パネル装置１００が、後述するように店舗等に設置されたパネル制御コンピュータ５０に接続された無線ＬＡＮアンテナによる通信エリアに入圏した場合に（図１参照）、該パネル制御コンピュータ５０から送信されるメニュープログラムによる利用可能なプログラムメニューが選択可能に一覧表示される小型のサブディスプレイ１１１と、後述する電子貨幣アプリにより電子貨幣を使用する際に、操作者の本人確認を実施するために操作者の指紋を取得するためのＣＣＤ等から成る指紋センサ１２２が設けられている。
【００１３】
また、小型のサブディスプレイ１１１の表面には薄型の透明タッチパネルフィルム１１０が累重されており、サブディスプレイ１１１上において携行者（操作者）により押圧操作された位置を特定することで、該サブディスプレイ１１１に表示されたメニューのどの内容が選択されたかを特定できるようになっている。
【００１４】
また、携帯パネル装置１００には図３に示すように、その両面に枚葉状の本発明における表示パネルとなるシートディスプレイ１１５を有する複数（本実施例では５枚）のディスプレイシート１１８が、合成皮革ケース２００の折り畳み中央部にその一辺が固設（接続）されることで、個々のディスプレイシート１１８をめくり操作して、任意のディスプレイシート１１８のシートディスプレイ１１５を露出させる（開く）ことができるようになっている。つまり、表示パネルとなるシートディスプレイ１１５が、その一辺の少なくとも一部が携帯パネル装置１００本体に接続されることで、個々にめくり操作可能とされている。
【００１５】
尚、本実施例のシートディスプレイ１１５の表面にも、サブディスプレイ１１１と同様に、各シートディスプレイ１１５上において携行者（操作者）から入力操作を受付けるための本発明における入力操作手段となる薄型の透明タッチパネルフィルム１１４が累重されており、シートディスプレイ１１５上において携行者（操作者）により押圧操作された位置を特定することで、対話型の入力操作ができるようになっている。
【００１６】
この本実施例の携帯パネル装置１００の機器構成に関して、図４を用いてより詳細に説明すると、携帯パネル装置１００内部にてデータの送受を行うバスコントロールＬＳＩ１０９にて制御されたデータバス１０１に、プログラムに基づいて携帯パネル装置１００が実施する各種処理を実行するための本発明におけるプログラム実行部となる中央演算処理装置（ＣＰＵ）１０２や、メモリカードや各種のインターフェイスカード等を接続するためのカードインターフェイス（Ｉ／Ｆ）１０３や、前記サブディスプレイ１１１や各シートディスプレイ１１５に累重された透明タッチパネルフィルム１１４の動作制御を行うタッチパネルドライバ１１３，１１７に接続されて各タッチパネルドライバ１１３，１１７から出力される押圧位置データを受付けるためのパネル入力用インターフェイス（Ｉ／Ｆ）１０４や、前記サブディスプレイ１１１や各シートディスプレイ１１５の表示制御を行う表示ドライバ１１２，１１６に接続されて各表示ドライバ１１２，１１６に表示データを出力するための表示用インターフェイス（Ｉ／Ｆ）１０５や、各種の入出力デバイスやセンサ等が接続される入出力インターフェイス（Ｉ／Ｆ）１０６や、各種の通信用モジュールが接続される通信インターフェイス（Ｉ／Ｆ）１０７や、ＲＯＭやＥＥＰＲＯＭやＲＡＭ等から成る記憶装置１０８が接続された通常のコンピュータと同様の構成とされている。
【００１７】
尚、パネル入力用Ｉ／Ｆ１０４や表示用Ｉ／Ｆ１０５は、各シートディスプレイ１１５に割り当てられたパネル番号が、当該シートディスプレイ１１５または該シートディスプレイ１１５に累重された透明タッチパネルフィルム１１４のタッチパネルドライバ１１７や表示ドライバ１１６が接続された接続ポートに割り当てられていることで、これらタッチパネルドライバ１１７から入力される操作位置情報にパネル番号がパネル入力用Ｉ／Ｆ１０４にて付与されてデータバス１０１を介してＣＰＵ１０２に出力されるとともに、ＣＰＵ１０２からパネル番号が付与された表示データが表示用Ｉ／Ｆ１０５に出力されることで該付与されているパネル番号に該当する表示ドライバ１１６に対して、当該表示データが出力されるようになっている。
【００１８】
これらシートディスプレイ１１５としては、シート状で高精細なドットマトリックス表示が可能なフィルムディスプレイ等を好適に使用することができ、本実施例においては、これら薄型に対応でき、且つ、有る程度屈曲しても表示性能が大幅に低下することがなく、且つ自発光型であるためにバックライトが必要ない等のことから、白黒の有機ＥＬディスプレイを使用しているが、本発明はこれに限定されるものではなく、当然マルチカラーやフルカラー表示の有機ＥＬディスプレイを使用しても良いし、近年開発が進捗しつつある低温ポリシリコン形成技術にて可撓性を有するプラスチックフィルム等にトランジスタを形成したアクティブマトリックス型の液晶パネル等を好適に使用することができる。
【００１９】
また、透明タッチパネルフィルム１１４としては、公知の透明タッチパネル、例えば、透明なポリエステルフィルム等に透明電極を形成したもの等を好適に使用することができる。
【００２０】
尚、本実施例では、その両面にシートディスプレイ１１５を備えるディスプレイシート１１８を５枚、つまり、シートパネル１（パネル番号１）〜シートパネル１０（パネル番号１０）までの合計１０枚のシートディスプレイ１１５を有する構成とし、これらディスプレイシート１１８の数が固定とされているが、本発明はこれに限定されるものではなく、これらディスプレイシート１１８を、携帯パネル装置１００本体と、コネクタ等により着脱自在として、携行者がその数を利用状況に応じて増減自在としても良い。
【００２１】
この本実施例の各ディスプレイシート１１８の一辺には、図３並びに図５に示すように、各ディスプレイシート１１８から突出するタブ１１５’が、互いのディスプレイシート１１８のタブ１１５’同士が重ならないように設けられているとともに、これら各ディスプレイシート１１８のタブ１１５’の近接を入光の有無にて検出するためのＳ１〜Ｓ１０の１０個のホトスイッチから成る本発明における選択ページ検知手段としてのページ選択センサ１２０が携帯パネル装置１００の本体側に設けられており、図５に示すように、これら各ホトスイッチの光の検出状況（スイッチのＯＮ，ＯＦＦ）の状況に対応付けて、当該検出状況において露出状況となっていることでアクティブ状態（表示動作状態）とするパネル番号が前述のＲＯＭに記憶されていることで、その時点において開かれている（露出している）シートディスプレイ１１５のパネル番号が特定されるとともに、当該特定されたパネル番号のシートディスプレイ１１５がアクティブ状態（表示動作状態）とされる一方、その他のパネル番号のシートディスプレイ１１５が非アクティブ状態（表示停止状態）とされることで、無駄な表示による電池の消耗等を防止できるようになっている。
【００２２】
また、本実施例の携帯パネル装置１００では、該携帯パネル装置１００が入圏した場合に前述のようにサブディスプレイ１１１に表示されて携行者（操作者）により選択されることでダウンロードされた各アプリケーション毎にパネル番号が、ＣＰＵ１０２によって図６に示すように割り当てられるようになっており、該パネル番号のシートディスプレイ１１５がアクティブ状態（表示動作状態）となったことに基づいて、当該パネル番号に割り当てられたアプリケーションが実行されて、該実行されたアプリケーションに基づく表示がアクティブ状態（表示動作状態）となったシートディスプレイ１１５に表示される一方、シートディスプレイ１１５が非アクティブ状態（表示停止状態）となったことに基づいて、ＣＰＵ１０２は当該パネル番号に割り当てられたアプリケーションの処理を行わないように処理タスクの割り当てを変更することで、無駄な処理負荷を低減して、ＣＰＵ１０２の処理能力をアクティブ状態（表示動作状態）となったシートディスプレイ１１５に割り当てられているアプリケーションの処理に最大限使用できるようになっている。
【００２３】
つまりは、本発明におけるプログラム実行部となるＣＰＵ１０２において、表示パネルとなる各シートディスプレイ１１５に対して複数のアプリケーションプログラムの内の１つのアプリケーションプログラムを割り当てており、該ＣＰＵ１０２によって本発明におけるアプリケーションプログラム割り当て手段が形成されている。
【００２４】
尚、本実施例では、５枚目のディスプレイシート１１８となるパネル番号９とパネル番号１０のシートディスプレイ１１５は、予め所定のアプリ、具体的に本実施例では、パネル番号９に電子貨幣用アプリ、パネル番号１０に電子ブック用アプリが割り当てられるように予約されることで、他のアプリへの割り当てが禁止されている。尚、これらの電子貨幣用アプリや電子ブック用アプリは、本実施例の携帯パネル装置１００ではダウンロードにより後述するＴＡＰサーバ１０から取得されるようになっているが、本発明はこれに限定されるものではなく、ＲＯＭに後述するベースプログラムに含まれる形態にて予め記憶しておくようにしても良い。
【００２５】
これらページ選択センサ１２０は、図４に示すように、前述の入出力Ｉ／Ｆ１０６に接続されているとともに、該入出力Ｉ／Ｆ１０６にはこれらページ選択センサ１２０に加えて、携帯パネル装置１００の配置状況（横配置されているか、縦配置されているかの配置形態）を検出するためのジャイロセンサ１２１や、前述の指紋センサ１２２や、各シートディスプレイ１１５へのアプリケーションプログラムの割り当てが実施されていない場合等において、アプリケーションプログラムが起動されずに透明タッチパネルフィルム１１４からの入力がされない場合等において入力を実施するための図７に示すような携帯電話機の入力キーとほぼ同様とされたキーボード（ＫＢ）パネル１２３や、増幅アンプ等を含む音声出力部１２４が接続されている。
【００２６】
また、前記通信Ｉ／Ｆ１０７には、図１に示すように、前述の無線ＬＡＮアンテナを介してパネル制御コンピュータ５０、更には、該パネル制御コンピュータ５０を経由して該パネル制御コンピュータ５０に接続されている専用通信網上に設けられた携帯パネル装置１００の利用者向けの専用ＡＳＰを提供するためのＴＡＰサーバ１０や、該パネル制御コンピュータ５０に接続されているインターネット網上の一般ＡＳＰを提供するサーバコンピュータ２０とのデータ通信を実施するための本発明におけるデータ通信手段となる無線ＬＡＮモジュール１２５や、店舗等に設置された決済用端末との間において近距離の無線通信を実施するための近距離通信モジュール１２６とが接続されている。尚、本実施例では、これら通信Ｉ／Ｆ１０７に無線ＬＡＮモジュール１２５や近距離通信モジュール１２６を接続しているが、本発明はこれに限定されるものではなく、これらの各モジュール以外に、有線による接触式通信モジュールまたは光（例えば赤外線）による非接触通信モジュールを接続しても良く、これら通信Ｉ／Ｆ１０７には、携帯パネル装置１００が必要とするプログラムデータ等の各種データを外部、例えばパネル制御コンピュータ５０や決済端末等との間において送受信できるものであれば接続することができる。
【００２７】
また、記憶装置１０８は、ＲＯＭやＥＥＰＲＯＭやＲＡＭから構成されており、これらＲＯＭやＥＥＰＲＯＭやＲＡＭの記憶領域には、共通したメモリアドレスが付与された単一アドレス体系とされており、最下位アドレスとなるＲＯＭの記憶領域には、該携帯パネル装置１００に搭載されている各機器やデバイス（ハードウエア）の制御を行うためのＢＩＯＳプログラムを含み、前記パネル制御コンピュータ５０との無線ＬＡＮ通信により当該携帯パネル装置１００が正常動作するためのオペレーティングシステムとなる基本プログラムを取得するための最小限のベースプログラムのみが記憶されている。
【００２８】
また、その上位アドレスはＥＥＰＲＯＭの金庫データ領域と固有データ領域から成るＥＥＰＲＯＭの記憶領域とされており、固有データ領域には当該携帯パネル装置１００に固有に付与されたパネルＩＤ等のデータが記憶されているとともに、金庫データ領域には、当該携帯パネル装置１００の携行者に固有に付与された利用者ＩＤ、当該利用者ＩＤを送信する送信先のプライベートＩＰアドレス、これら利用者ＩＤ等の送受信において送受信データの暗号化に使用される暗号鍵データ、本人確認に使用される指紋データ等が記憶されており、該金庫データ領域は、特定のアプリケーションである電子貨幣用アプリのみがアクセスを許諾されるように制限されている。
【００２９】
また、ＥＥＰＲＯＭの記憶領域の上位アドレスは、ＲＡＭの記憶領域とされており、該ＲＡＭの記憶領域の下位アドレス領域は、無線ＬＡＮアンテナによる通信エリアに入圏する毎にダウンロードされるオペレーティングシステムから成る基本プログラムが記憶される基本プログラム領域とされ、上位アドレス領域は、ダウンロードされた各アプリケーションプログラムが記憶されるアプリ領域とされている。
【００３０】
この基本プログラム領域には、オペレーティングシステムが使用するデータ領域を含むとともに、該基本プログラム領域に記憶される基本プログラムには、携帯パネル装置１００に搭載されている各種の機器やデバイス等とのデータの入出力のためのＩ／Ｏコントロールシステムプログラムや、各アプリケーションプログラムに割り当てられるタスクを管理するためのタスクマネージメントプログラムが含まれている。
【００３１】
以下、本実施例の携帯パネル装置１００の動作状況を、図７並びに図８に基づいて電子ブックの閲覧に関する動作を中心に説明する。
【００３２】
まず、本実施例の携帯パネル装置１００は、無線ＬＡＮアンテナによる通信エリア外においては、基本プログラムや各アプリケーションをＲＡＭの記憶領域に有しないことで、当該携帯パネル装置１００を盗用されても、該携帯パネル装置１００から購入した電子ブックのデータや種々の利用データ等が盗用されることがないようになっている。
【００３３】
この携帯パネル装置１００が無線ＬＡＮアンテナによる通信エリア内に入圏した場合には、該入圏を所定周波数の制御チャンネルの利得から携帯パネル装置１００が検知することにより、前記したパネル制御コンピュータ５０から基本プログラムを取得して該基本プログラムを起動する。
【００３４】
そして、該基本プログラムの起動後に携帯パネル装置１００からパネル制御コンピュータ５０に、メニュープログラム要求が送信されることで、当該携帯パネル装置１００の携行者（操作者）が利用可能なアプリケーションの一覧メニュー（メニュープログラム）が生成されて配信され、該メニュープログラムがサブディスプレイ１１１に選択可能に表示される。
【００３５】
これらメニュープログラムとしては、当該パネル制御コンピュータ５０が設置されている店舗に関する情報を閲覧するための店舗情報閲覧プログラムや、当該店舗の会員への申し込みを行うための会員登録プログラム等が含まれているとともに、店舗に関連しない携行者（操作者）が良く利用するアプリケーションのメニュー、例えばブラウザや電子ブックのアプリケーションが表示される。
【００３６】
この段階において携行者（操作者）が、例えば店舗前にて友人と待ち合わせしている状況において、時間があるので読みかけの電子ブックを読みたい場合には、サブディスプレイ１１１に表示されているメニューから「電子ブック」を選択する。
【００３７】
この「電子ブック」のメニュー選択により携帯パネル装置１００からは、当該携帯パネル装置１００のパネルＩＤを含む電子ブックアプリ要求がＴＡＰサーバ１０に送信されることで、ＴＡＰサーバ１０において当該パネルＩＤに対応付けて記憶されている、既に携行者（操作者）が購入して購読可能とされている電子ブックの全タイトルと、前回において読まれていた電子ブックのタイトルとその最終ページとが特定され、該特定された全タイトルの一覧データと、前回において読まれていた電子ブックデータと最終ページデータ、並びに電子ブック用アプリとが電子ブックアプリ要求の送信元の携帯パネル装置１００に送信（返信）される。つまり携帯パネル装置１００のＣＰＵ１０２は、電子ブックアプリ要求を送信して電子ブック用アプリを本発明におけるアプリケーションプログラム提供装置となるＴＡＰサーバ１０から取得するアプリケーションプログラム取得処理を実施する。
【００３８】
これら返信された電子ブック用アプリは、前述のＲＡＭのアプリ領域に記憶されるとともに、当該電子ブック用アプリに対して予め予約されているパネル番号１０が割り当てられる。
【００３９】
そして、携行者（操作者）が、「電子ブック」を選択した後、該電子ブック用アプリに割り当てられているパネル番号１０を開くと、該電子ブック用アプリが起動されて図７に示すように、電子ブックページのメインメニューがパネル番号１０のシートディスプレイ１１５に表示される。
【００４０】
このメインメニューには、「電子ブック一覧」のメニューと、「前回読書継続」のメニューが設けられており、「電子ブック一覧」のメニューを選択した場合には、ＴＡＰサーバ１０から返信されてきた全タイトルの一覧データに基づく電子ブックのタイトル一覧が選択可能に表示され、該タイトル一覧から所望するタイトルを選択することで、当該選択されたタイトルの電子ブックデータがＴＡＰサーバ１０から取得され、該パネル番号１０のシートディスプレイ１１５に選択されたタイトルの電子ブックの先頭ページが、携帯パネル装置１００を縦に配置することでパネル番号１０に表示される。
【００４１】
一方、メインメニューにおいて「前回読書継続」のメニューを選択した場合には、ＴＡＰサーバ１０から返信されてきたデータに基づいて、前回において読まれていた電子ブックデータの最終ページが特定され、該特定された電子ブックデータの最終ページが携帯パネル装置１００を縦に配置することでパネル番号１０に表示される。
【００４２】
そして、当該パネル番号１０に表示されたページの文字を読み終えて、次のページを読みたい場合には、携帯パネル装置１００の縦配置を保持したまま、図８に示すようにパネル番号１０のディスプレイシート１１８をめくってパネル番号８並びにパネル番号９を露出させれば良く、これらパネル番号８並びにパネル番号９を開くことで、通常にあっては当該パネル番号９に割り当てられている電子貨幣用アプリが起動されるが、このように電子ブック用アプリの起動中においてディスプレイシート１１８が縦配置を保持したまま順次めくり操作されたことがページ選択センサ１２０にて検知された場合には、電子貨幣用アプリが起動されることなく、新たに開かれたパネル番号９並びにパネル番号８のシートディスプレイ１１５に、図８に示すように、電子ブックデータの続きのページが割り当てられて表示されるようになり、これら続きのページを読み終えた場合には、縦配置を保持したまま次のディスプレイシート１１８をめくっていけば、順次後続のページが各シートディスプレイ１１５に表示されていく。
【００４３】
尚、読書を終了したい場合には、携帯パネル装置１００の縦配置を解除して横配置とすることで、該縦配置を解除がジャイロセンサ１２１にて検知され、その時点において開かれているシートディスプレイ１１５に、「読書を終了しますか？」のアラートメッセージが表示され、「終了する」を選択することで、その時点において開かれているシートディスプレイ１１５に割り当てられているアプリケーションプログラムが存在する場合には、当該アプリケーションプログラムが起動されて、該アプリケーションプログラムによる表示画面が該シートディスプレイ１１５に表示される。
【００４４】
そして、電子ブックを読み進めてパネル番号１に表示されているページを読み終えた場合には、縦配置を保持したまま全てのディスプレイシート１１８をめくって再度パネル番号１０のシートディスプレイ１１５を露出させることで、該シートディスプレイ１１５にはパネル番号１に表示されているページの次のページが表示され、該ページを読み終えた場合には、前述のようにパネル番号１０のディスプレイシート１１８をめくってパネル番号８並びにパネル番号９を露出させていけば、順次次ぎのページが各シートディスプレイ１１５に表示されていくことで、従来の本と同様の感覚にて読書を実施することができる。つまり、本発明における、表示パネルに連なる表示パネルとしては、パネル番号１０に連なるパネル番号９の表示パネルとともに、パネル番号１に対してはパネル番号１０が該当する。
【００４５】
尚、本実施例では、これら各シートディスプレイ１１５に表示される文字の大きさを、最初にパネル番号１０に表示される文字の大きさに基づいて、キーボード（ＫＢ）パネル１２３に設けられている矢印キーにて調節できるようになっており、従来の通常に印刷された本とは異なり、携行者（操作者）が読みやすい文字の大きさにて読書ができるようになっている。
【００４６】
そして、これら読書が終了した後、該携帯パネル装置１００が通信エリアの外に出た場合、具体的には、制御チャンネルの利得が所定レベル以下となった場合に前記ＣＰＵ１０２は、前述の基本プログラム領域に記憶している基本プログラム並びにアプリ領域に記憶しているアプリケーションプログラムを消去する処理を実施することで、これら電子ブックのデータ等の各種データが携帯パネル装置１００に残ることがないので、仮に携帯パネル装置１００が不正に盗まれたり、紛失したとしても、これら電子ブックのデータ等の各種データを盗用される危険性を低減することができる。
【００４７】
以上、本実施例によれば、利用者である携行者は、所望のアプリケーションプログラムに割り当てられた表示パネルとなるシートディスプレイ１１５をめくり操作により開く（露出させる）ことで、該表示パネル（シートディスプレイ１１５）に割り当てられたアプリケーションプログラムが自動的に実行されて、該アプリケーションプログラムの内容が当該表示パネル（シートディスプレイ１１５）に表示されるようになるので、アプリケーションの選択や終了等の操作の面倒を著しく低減でき、且つこれらの操作を感覚的に判りやすく実施することができる。
【００４８】
また、本実施例によれば、開かれていない（露出していない）表示パネル（シートディスプレイ１１５）の表示や割り当てられているアプリケーションプログラムの処理を行わないことで、これら開かれていない表示パネル（シートディスプレイ１１５）に表示するための無駄な電力の消費を低減できるばかりか、これら開かれていない表示パネルに割り当てられたアプリケーションプログラムを実行するための無駄な処理負荷も低減することができる。
【００４９】
また、本実施例によれば、利用者である携行者は、通常の印刷された本と同様に表示パネル（シートディスプレイ１１５）をめくり操作することで、順次電子ブックの内容が各表示パネル（シートディスプレイ１１５）に表示されるようになるので、ページ送り操作等の機器の操作に不慣れな人でも、違和感なく電子ブックによる読書を楽しむことができる。
【００５０】
また、本実施例によれば、アプリケーションプログラム提供装置となるＴＡＰサーバ１０から逐次必要なアプリケーションプログラムを取得することができ、利用者（携行者）の利便性を向上できる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、シートディスプレイ１１５をディスプレイシート１１８の両面に設けており、このようにすることは、見開きにて大きな表示画面を得ることができ、大きな表示容量を得ることができることから好ましいが、本発明はこれに限定されるものではなく、これらシートディスプレイ１１５をディスプレイシート１１８の一面のみに設け、該シートディスプレイ１１５とともに開かれる他のディスプレイシート１１８の面には、操作入力を行うための入力パネルを設けるようにしても良い。
【００５３】
また、前記実施例では、１つのシートディスプレイ１１５に対して１つのアプリケーションプログラムを割り当てているが、本発明はこれに限定されるものではなく、例えば、見開きとなる２つのシートディスプレイ１１５に同一のアプリケーションプログラムを割り当てるようにしても良い。
【００５４】
また、前記実施例では、電子ブック用アプリによる電子ブックの再生時において、携帯パネル装置１００の配置状況により電子ブックの再生の継続、中止を判断するようにしているが、本発明はこれに限定されるものではなく、これらの配置状況による判断を実施しない構成としても良い。
【００５５】
また、前記実施例では、ページ選択センサ１２０としてホトスイッチを用いているが、本発明はこれに限定されるものではなく、外光がない所でのめくり操作を確実に検知するために、例えば各タブに磁石を内在しておき、該磁石の近接にて動作する近接スイッチをホトスイッチに加えて、或いはホトスイッチに代えて使用することで、外光の有無によらずタブの近接を検知して各ディスプレイシート１１８の開閉状態を検知できるようにしても良い。
【図面の簡単な説明】
【００５６】
【図１】本発明の携帯パネル装置が適用された実施例のシステムの構成を示すシステム図である。
【図２】本実施例に用いた携帯パネル装置の外観を示す外観斜視図である。
【図３】本実施例に用いた携帯パネル装置を開いた状態を示す斜視図である。
【図４】本実施例に用いた携帯パネル装置の構成を示すブロック図である。
【図５】本実施例に用いた携帯パネル装置におけるページ選択センサによる露出パネルの特定状況を示す説明図である。
【図６】各パネルへのアプリケーションの割り当て状況を示す図である。
【図７】本実施例に用いた携帯パネル装置における電子ブックの表示状況を示す図である。
【図８】本実施例に用いた携帯パネル装置における電子ブックの表示状況を示す図である。
【符号の説明】
【００５７】
１０      ＴＡＰサーバ
２０      サーバコンピュータ
５０      パネル制御コンピュータ
１００    携帯パネル装置
１０１    データバス
１０２    中央演算処理装置（ＣＰＵ）
１０３    カードインターフェイス（Ｉ／Ｆ）
１０４    パネル入力用インターフェイス（Ｉ／Ｆ）
１０５    表示用インターフェイス（Ｉ／Ｆ）
１０６    入出力インターフェイス（Ｉ／Ｆ）
１０７    通信インターフェイス（Ｉ／Ｆ）
１０８    記憶装置
１０９    バスコントロールＬＳＩ
１１０    透明タッチパネルフィルム
１１１    サブディスプレイ
１１２    表示ドライバ
１１３    タッチパネルドライバ
１１４    透明タッチパネルフィルム
１１５    シートディスプレイ
１１５’  タブ
１１６    表示ドライバ
１１７    タッチパネルドライバ
１１８    ディスプレイシート
１２０    ページ選択センサ
１２１    ジャイロセンサ
１２２    指紋センサ
１２３    キーボード（ＫＢ）パネル
１２４    音声出力部
１２５    無線ＬＡＮモジュール
１２６    近距離通信モジュール
２００    合成皮革ケース
【図１】
2006195922.tif 000003
【図２】
2006195922.tif 000004
【図３】
2006195922.tif 000005
【図４】
2006195922.tif 000006
【図５】
2006195922.tif 000007
【図６】
2006195922.tif 000008
【図７】
2006195922.tif 000009
【図８】
2006195922.tif 000010